(57)【要約】【課題】照明部を効率的に配置することができ且つ照明部に起因する美観の低下を抑えやすいガスコンロ用の照明装置又はガス調理システムを実現する。【解決手段】ガス調理システムＳｙにおいて、ガスコンロ１は、上面部９２及び前面部９４にそれぞれ開口部を備えたキャビネット９０に組み込まれる。照明装置１００は、キャビネット９０の上面部９２よりも下方側且つ前面パネル２０の上方側に配置されるフィラー部１１０（保持部材）と、フィラー部１１０に保持され、少なくとも前面パネル２０側に照明光を照射する照明部１２０とを有する。【選択図】図４
2018106897.tif 000002
【特許請求の範囲】
【請求項１】
ガスバーナと前記ガスバーナを収容するコンロ本体部とを有するとともに、上面部に上面側開口部を備え且つ前面部に前面側開口部を備えたキャビネットに組み込まれ、前記コンロ本体部の前面側の壁部を構成する前面パネルが前記キャビネットの外部に露出して配置されるガスコンロを照射対象とする照明装置であって、
前記キャビネットの前記上面部よりも下方側且つ前記前面パネルの上方側に配置される保持部材と、
前記保持部材に保持され、少なくとも前記前面パネル側に照明光を照射する照明部と、
を有するガスコンロ用の照明装置。
【請求項２】
ユーザによる所定動作を検知する検知部と、
前記検知部が前記所定動作を検知した場合に前記照明部を照射状態に切り替え、所定の停止条件の成立に応じて前記照明部を照射停止状態に切り替える切替部と、
を有する請求項１に記載のガスコンロ用の照明装置。
【請求項３】
前記保持部材は、前記キャビネットの前記上面部において前記上面側開口部の前側に位置する前側配置部と前記前面パネルとの間の隙間を埋めるためのスペーサを兼ねる請求項１又は請求項２のいずれか一項に記載のガスコンロ用の照明装置。
【請求項４】
前記保持部材の少なくとも一部として又は前記保持部材に組み付けられる部材として磁石が設けられ、
前記コンロ本体部又は前記キャビネットの少なくともいずれかと前記保持部材とが前記磁石によって吸着される請求項１から請求項３のいずれか一項に記載のガスコンロ用の照明装置。
【請求項５】
前記保持部材は、前記前面パネルの上端部又は上端部の後方に隣接する隣接部の少なくともいずれかに支持される形で載置されるものであり、
前記上端部又は前記隣接部の少なくともいずれかに対して前記保持部材の下面部に設けられた前記磁石が吸着する構成をなしている請求項４に記載のガスコンロ用の照明装置。
【請求項６】
前記保持部材の一部が前記前面パネルの前面よりも前側に配置され、
前記照明部は、前記保持部材において前記前面パネルの前面よりも前側に配置される部分に少なくとも一部が保持され、少なくとも一部が前記前面パネルの前面よりも前側に配置される請求項１から請求項５の少なくともいずれかに記載のガスコンロ用の照明装置。
【請求項７】
請求項１から請求項６のいずれか一項に記載のガスコンロ用の照明装置と、前記ガスコンロとを含むガス調理システム。
【発明の詳細な説明】
【技術分野】
【０００１】
本発明は、ガスコンロ用の照明装置及びガス調理システムに関するものである。
【背景技術】
【０００２】
従来から提供されているガスコンロは、点火、火力調整、設定などを行うための操作部を備えており、ユーザは、この操作部に対して適切な操作を行うことで、機器に所望の動作を行わせる。しかし、ガスコンロは設置状態や使用状況によっては、操作部付近が暗くなってしまい、視認性の悪化、ひいては操作性の悪化を招く場合も想定される。このような問題に対する対策としては、特許文献１で開示されるシステムキッチンのように、手元付近を照らすような手元照明を設けることが考えられる。
【先行技術文献】
【特許文献】
【０００３】
【特許文献１】特開２００５−２３０４１９号公報
【発明の概要】
【発明が解決しようとする課題】
【０００４】
しかし、特許文献１で開示されるシステムキッチンは、ガスコンロの上方に大掛かりな手元照明を設けているため、手元照明が占めるスペースが大きくなり、その分、ユーザの使用空間を狭めてしまうことになる。また、ガスコンロの上方に大きな手元照明を露出させて配置しているため、美観の低下を招く虞もある。
【０００５】
本発明は、上述した課題を解決するためになされたものであり、照明部を効率的に配置することができ且つ照明部に起因する美観の低下を抑えやすいガスコンロ用の照明装置又はガス調理システムを実現することを目的とするものである。
【課題を解決するための手段】
【０００６】
第１の発明であるガスコンロ用の照明装置は、
ガスバーナと前記ガスバーナを収容するコンロ本体部とを有するとともに、上面部に上面側開口部を備え且つ前面部に前面側開口部を備えたキャビネットに組み込まれ、前記コンロ本体部の前面側の壁部を構成する前面パネルが前記キャビネットの外部に露出して配置されるガスコンロを照射対象とする照明装置であって、
前記キャビネットの前記上面部よりも下方側且つ前記前面パネルの上方側に配置される保持部材と、
前記保持部材に保持され、少なくとも前記前面パネル側に照明光を照射する照明部と、
を有する。
【０００７】
第２の発明であるガス調理システムは、上記ガスコンロ用の照明装置と、上記ガスコンロとを含む。
【発明の効果】
【０００８】
第１の発明のガスコンロ用の照明装置は、保持部材に保持される照明部によって前面パネル側に照明光を照射することができるため、ユーザが前面パネル付近を操作する際の視認性を高めることができる。また、保持部材がキャビネットの上面部よりも下方側且つ前面パネルの上方側に配置され、この保持部材に保持される形で照明部が設けられるため、美観を損ないにくく他部品の配置に比較的影響が少ない位置に保持部材及び照明部を効率的に配置することができる。
【０００９】
第２の発明のガス調理システムは、第１の発明のガスコンロ用の照明装置と同様の効果が得られる。
【図面の簡単な説明】
【００１０】
【図１】図１は、実施例１のガス調理システムがキャビネットに組み込まれたキッチンカウンターを概略的に示す正面図である。
【図２】図２は、図１のＡ−Ａ断面を概略的に示す断面概略図である。
【図３】図３は、実施例１のガス調理システムの電気的構成を例示するブロック図である。
【図４】図４は、実施例１のガス調理システムを概略的に示す斜視図である。
【図５】図５は、図４のガス調理システムから照明装置を除いた構成（ガスコンロ）を概略的に示す斜視図である。
【図６】図６（Ａ）は、照明装置の平面構成を部分的且つ概略的に示す平面図である。図６（Ｂ）は、照明装置の正面構成を部分的且つ概略的に示す正面図である。
【図７】図２の一部を拡大して概略的に示す断面拡大図である。
【発明を実施するための形態】
【００１１】
上記照明装置は、ユーザによる所定動作を検知する検知部と、検知部が所定動作を検知した場合に照明部を照射状態に切り替え、所定の停止条件の成立に応じて照明部を照射停止状態に切り替える切替部を有していてもよい。
【００１２】
上記照明装置は、ユーザが所定操作を行った場合に、この操作を検知して照明部を照射状態に切り替えることができるため、ユーザが所望の時期に照明部を動作させ得る構成となる。
【００１３】
保持部材は、キャビネットの上面部において上面側開口部の前側に位置する前側配置部と前面パネルとの間の隙間を埋めるためのスペーサを兼ねていてもよい。
【００１４】
上記照明装置は、保持部材が前側配置部（キャビネットの上面部において上面側開口部の前側に位置する部分）と前面パネルとの間の隙間を埋めるスペーサとして機能するため、この隙間の位置を利用して効率的に配置することができるとともに、隙間が存在することに起因する美観の低下やその他のデメリットを解消することもできる。
【００１５】
上記照明装置は、保持部材の少なくとも一部として又は保持部材の組み付けられる部材として磁石が設けられていてもよい。コンロ本体部又はキャビネットの少なくともいずれかと保持部材とが磁石によって吸着される構成であってもよい。
【００１６】
上記照明装置は、ガスコンロに対して保持部材を容易に着脱し得る構成となるため、作業者が照明装置に対する作業（メンテナンスなど）を行いやすくなる。また、磁石による吸着を利用して保持部材を固定することができるため、ガスコンロ側において螺子孔などの加工を削減又は省略することができる。
【００１７】
上記照明装置は、保持部材が、前面パネルの上端部又は上端部の後方に隣接する隣接部の少なくともいずれかに支持される形で載置されるものであってもよい。そして、前面パネルの上端部又は隣接部の少なくともいずれかに対して保持部材の下面部に設けられた磁石が吸着する構成であってもよい。
【００１８】
上記照明装置は、前面パネルの上端部又はこれに隣接する部分に磁石を吸着させて安定的に固定することができる。また、前面パネルの上端部又は隣接部に載置しつつ磁石による吸着によって保持部材を固定しているため、保持部材の位置をずらす操作が可能となり、微妙な位置調整（例えば、照明部の位置の調整）が行いやすくなる。
【００１９】
上記照明装置は、保持部材の一部が前面パネルの前面よりも前側に配置されてもよい。そして、照明部は、保持部材において前面パネルの前面よりも前側に配置される部分に少なくとも一部が保持され、少なくとも一部が前面パネルの前面よりも前側に配置されていてもよい。
【００２０】
上記照明装置は、前面パネルの前面よりも前側に照明部を配置し得る構成となり、前面パネルに照射する光の量をより大きくすることができる。
【００２１】
＜実施例１＞
以下、実施例１について、図面を参照して説明する。
図１で示すガス調理システムＳｙは、ガスコンロ１とガスコンロ用の照明装置１００（以下、照明装置１００ともいう）とを備えたシステムとして構成されている。
【００２２】
図１、図２のように、ガスコンロ１は、ガスバーナ４，５，６、ガスバーナ４，５，６を収容するコンロ本体部１Ａなどを有しており、キャビネット９０に組み込まれるビルトインコンロとして構成されている。ガス調理システムＳｙは、図３のような電気的構成となっており、図４のような外観をなす。
【００２３】
キャビネット９０は、上面部９２及び前面部９４に上面側開口部９２Ａ、前面側開口部９４Ａをそれぞれ備えた箱型の家具であり、ガスコンロ１を収容しつつ保持する構成をなす。図１の例では、ガスコンロ１における上部側の一部が上面側開口部９２Ａに入り込んだ形となっており、天板３やガスバーナ４，５，６などが上面部９２の上方側においてキャビネット９０の外側に露出して配置されている。また、ガスコンロ１における前面部側の一部が前面側開口部９４Ａに入り込んだ形となっており、前面パネル２０、点火ボタン１１〜１４、グリル扉７Ａなどがキャビネット９０の外部前側に露出して配置されている。
【００２４】
以下の説明では、ガスコンロ１において、板状に構成された天板３の板面方向のうち、短手方向を前後方向とし、前後方向と直交する方向である天板３の長手方向を左右方向とする。更に、前後方向及び左右方向と直交する方向である天板３の板厚方向を上下方向として説明する。図１では、左右方向がガスコンロ１の左右方向であり、上下方向がガスコンロ１の上下方向である。また、図２では、左右方向がガスコンロ１の前後方向であり、上下方向がガスコンロ１の上下方向である。具体的には、図４において、左斜め下方、右斜め上方、右斜め下方、左斜め上方を、それぞれ、ガスコンロ１の前方、後方、右方、左方とする。
【００２５】
まず、ガスコンロ１について説明する。
ガスコンロ１は、図２で示すようにシステムキッチンのカウンタトップに設けられた開口（即ち、キャビネット９０の上面部９２に形成された上面側開口部９２Ａ）に落とし込まれて設置されるビルトインコンロであり、図５のような外観をなしている。
【００２６】
図５のように、ガスコンロ１はコンロ本体部１Ａによって外殻（ケース体）が構成されており、このコンロ本体部１Ａの内部にガスバーナなどの各種部品が収容された構成をなす。コンロ本体部１Ａは、箱状の筐体部２と、筐体部２の上端部に固定される天板３と、筐体部２の前端部に固定される前面パネル２０とを備える。
【００２７】
筐体部２は、公知の金属材料を主体として上方側が開放した箱状に構成されている。左右に一対の側壁部（図２、図５では、一方の側壁部２Ｃのみを図示）を備えるとともに、これら側壁部の後端部に連結される形で後壁部２Ｂ（図２）が設けられる。また、筐体部２の前面部（図示略）はフレーム状又は壁状に構成されており、これら前面部、側壁部、後壁部によって筐体部２の内部空間の前後左右を囲む構成をなし、これら前面部、側壁部、後壁部の下部には底壁部２Ｅが連結されている。筐体部２は、これらの壁部によって上部が開口した箱状形態をなしており、筐体部２の上端部には、天板３（トッププレート）が取り付けられている。
【００２８】
図１、図２のように、天板３は、板状に構成されると共にガスバーナを露出させるための開口部（貫通孔）が複数個形成された構成をなす。天板３は、キャビネット９０の上面部９２に上側に配置される。前面パネル２０は、コンロ本体部１Ａの前面部を構成する板状の壁部であり、例えば、金属材料又は樹脂材料を主体として構成されている。本構成では、前面パネル２０は、筐体部２とは別部材として構成され、筐体部２の前端部を覆うように筐体部２に対して固定されているが、前面パネル２０と筐体部２とが一体的に構成されていてもよい。
【００２９】
図５のように、天板３において右手前（右端寄りかつ前端寄りの位置）にはガスバーナ（右バーナ）４、左手前（左端寄りかつ前端寄りの位置）にはガスバーナ（左バーナ）５、中央奥側にはガスバーナ（奥バーナ）６が夫々設けられている。各ガスバーナ４〜６のそれぞれには、点火する為のイグナイタ２７（図３参照）が設けられている。
【００３０】
筐体部２の中央付近には、グリル部８が設けられている。グリル部８は、箱状に構成されたグリル庫８Ａ、グリル庫８Ａを開閉するグリル扉８Ｂ、ガスバーナとして構成されるとともにグリル庫８Ａ内に配置されるグリルバーナ（図示略）、グリル扉８Ｂの後方側においてグリル扉８Ｂと一体的に設けられる受け皿、受け皿の上に載置される焼き網などを備える。受け皿はグリル庫８Ａの底面部に載置されており、グリル扉８Ｂを前方側に引き出すように操作することで、グリル扉８Ｂとともに受け皿及び焼き網が一体的に引き出されるようになっている。なお、グリル庫８Ａにレールユニットを設けて、グリル扉８Ｂや受け皿などをレールユニットによって前後方向に案内する構成となっていてもよい。なお、天板３において後端寄りの位置には、グリル庫８Ａと連通するグリル排気口９が設けられている。
【００３１】
図５のように、筐体部２の前面の右寄りには２つの点火ボタン１１、１４が、左寄りにはもう２つの点火ボタン１２、１３が設けられている。点火ボタン１１は、ガスバーナ４の点火及び消火を操作するために対応付けられた操作ボタンであり、点火ボタン１２は、ガスバーナ５の点火及び消火を操作するために対応付けられた操作ボタンであり、点火ボタン１３は、ガスバーナ６の点火及び消火を操作するために対応付けられた点火ボタンである。点火ボタン１４は、グリル部８のガスバーナ（グリルバーナ）の点火及び消火を操作するための操作ボタンである。各点火ボタン１１〜１４は、前面パネル２０の前面よりも前方へ突出して設けられ、筐体部２の内部に設けられた制御回路７０（図３）と接続されており、使用者が押し込み操作すると、制御回路７０による制御により、その操作されたボタンに対応するガスバーナの点火又は消火が行われるようになっている。
【００３２】
レバー１６Ａ，１６Ｂ，１６Ｃ，１６Ｄはそれぞれ、対応するガスバーナ４〜６又はグリル部８のグリルバーナにおける火力を調整するための火力調整レバーである。点火ボタン１２，１３の下側には、ガスコンロ１に電力を供給するための電池を収容する電池ボックス１８が設けられている。点火ボタン１１，１４の下側には、図４の実線で示す収納位置と、図４の二点鎖線で示す前側傾倒位置との間で変位するように開閉可能とされた開閉パネル１９が回動可能に配置され、この開閉パネル１９と一体的に、各種設定操作を行うための操作部３０が設けられている。
【００３３】
図３を参照し、ガスコンロ１の電気的構成について説明する。
ガスコンロ１はコントローラとしての制御回路７０を備える。制御回路７０は、ＣＰＵ７１、ＲＯＭ７２、ＲＡＭ７３、不揮発性メモリ７４、タイマ７５等を備える。ＣＰＵ７１はガスコンロ１の各種動作を統括制御する。ＲＯＭ７２はガスコンロ１の各種制御プログラムなどを記憶する。ＲＡＭ７３は、ガスコンロ１の各種情報などを記憶する。
【００３４】
制御回路７０には、電源回路８１、スイッチ入力回路８２、操作部回路８３、点火ボタン操作回路８４、イグナイタ回路８５、電磁弁回路８６、駆動回路９１等が各々接続されている。
【００３５】
電源回路８１は、公知の電源回路として構成されており、電池ボックス１８内に収容される２つの乾電池１５からの電力供給に基づいて各種回路に印加する電源電圧を生成する機能を有する。また、電源回路８１に付随する回路として、電池１５の出力電圧を検出する検出回路も設けられ、この回路は電池１５の出力電圧を監視する機能を有する。スイッチ入力回路８２は電源スイッチ１０の押下を検出する。
【００３６】
操作部回路８３は、操作部３０に対する外部からの各種操作を検出し、制御回路７０に入力する。点火ボタン操作回路８４は点火ボタン１１〜１４の押下を検出し、押下された点火ボタンを特定し得る信号を制御回路７０に入力する。イグナイタ回路８５は、制御回路７０からの指令を受け、各種バーナ４〜６及びグリルバーナのそれぞれに設けられたイグナイタ２７を駆動する。電磁弁回路８６は、制御回路７０からの指令を受け、各種バーナ４〜６及びグリルバーナのそれぞれのガス供給管（図示略）に設けられた安全弁及び火力調整弁等の各種電磁弁２８を制御する。なお、図３では、各ガスバーナ４〜６及び図示しないグリルバーナに設けられたイグナイタを符号２７で簡略的に示しているが、実際は、複数のイグナイタ２７が各ガスバーナに対応付けて個別に設けられ、イグナイタ回路８５が点火操作に応じたイグナイタを個別に制御し得るようになっている。また、図３では、各ガスバーナへガスを供給するための各ガス供給路に設けられた電磁弁を符号２８で簡略的に示しているが、実際は、複数の電磁弁２８が各ガス供給路に対応付けて個別に設けられ、電磁弁回路８６が各電磁弁を個別に制御し得るようになっている。
【００３７】
ガスコンロ１には、図３で示す回路以外にも、音声合成回路やスピーカなどからなる音声装置、発光制御回路や発光部などからなる発光装置、ブザー回路などを設けることができ、図３ではこれらの回路の図示を省略している。
【００３８】
次に照明装置１００について説明する。
図４のように、照明装置１００は、ガスコンロ１とともにガス調理システムＳｙを構成する。照明装置１００は、ガスコンロ１に対して着脱可能とされており、ガスコンロ１の前面部の少なくとも一部に照明光を照射し得る装置として構成されている。
【００３９】
図５のように、照明装置１００の取付対象となるガスコンロ１は、天板３の前端部３Ａ（前側の縁部）が左右方向に延びる形で直線状に構成され、前面パネル２０の上端部２０Ａが左右方向に延びる形で直線状に構成されている。そして、この前端部３Ａと上端部２０Ａとによって左右方向に延びる溝部２５が構成されている。前面パネル２０は、前後方向を板厚方向とする板状の前壁部２１と、この前壁部２１と一体的に構成されるとともに前壁部２１の上端から略直角に折れ曲がる形で平面状且つ板状に構成された後方延出部２２とを備え、前壁部２１の上端と後方延出部２２とが上端部２０Ａを構成する。後方延出部２２は磁性体によって構成され、図４のように、照明装置１００は後方延出部２２の上面上に載置される形で設置される。
【００４０】
図４のように、照明装置１００は、照明部１２０と、この照明部１２０を保持する保持部材としてのフィラー部１１０と、フィラー部１１０を装着するための複数の磁石１５０とを有しており、照明部１２０及び磁石１５０がフィラー部１１０に一体的に組み付けられた構成となっている。
【００４１】
フィラー部１１０は、公知の樹脂材料などによって長手状且つ板状に構成されており、図２のようにキャビネット９０の上面部９２よりも下方側であって且つコンロ本体部１Ａの前面側の壁部を構成する前面パネル２０の上方側に配置されている。具体的には、図１、図７のように、前面パネル２０の上端部２０Ａが、キャビネット９０の前面側開口部９４Ａの上縁部９５との間で横方向に延びる隙間部９８を構成する。フィラー部１１０は、隙間部９８内の空間を埋める状態で配置され、正面視したときに前面パネル２０の上端部２０Ａと前面側開口部９４Ａの上縁部９５との間から視認されるものとなっている。なお、図１、図２では、上端部２０Ａと上縁部９５とによって構成される部分を隙間部９８として示し、隙間部９８の領域を符号Ｄで示す。
【００４２】
図１、図２で示す例では、キャビネット９０の上面部９２において上面側開口部９２Ａの前側に位置するように前側配置部９６が設けられている。前側配置部９６は、キャビネット９０において上面部９２に設けられた上面側開口部９２Ａよりも前側の部分且つ前面部９４に設けられた前面側開口部９４Ａよりも上側の部分である。図１、図２の例では、前面パネル２０の上端部２０Ａと上述した前側配置部９６とが上下に間隔をあけて配置され、これらによって隙間部９８（前側配置部９６の下面部と前面パネル２０の上端部とによって構成される部分）が設けられている。即ち、フィラー部１１０が存在しない場合には、前面パネル２０と前側配置部９６との間に隙間が生じるようになっている。フィラー部１１０（保持部材）は、この前側配置部９６と前面パネル２０との間の隙間を埋めるためのスペーサとして機能する。
【００４３】
図１、図４、図６のように、フィラー部１１０は、左右方向において、グリル部８よりも照明部１２０側の位置且つ両照明部１２０よりもグリル部８側の位置に、筐体部２や前面パネル２０を構成する主体材料（鉄やアルミニウムなどの金属材料）よりも相対的に熱伝導率が小さい伝熱抑制部材１８０を設けてもよい。そして、左右方向において伝熱抑制部材１８０の両側に、伝熱抑制部材１８０よりも熱伝導率が大きい第２部材１８２を配置し、伝熱抑制部材１８０と第２部材１８２とが一体化された形態で長手状のフィラー部１１０を構成してもよい。そして、図４のような設置時に、伝熱抑制部材１８０が左右方向において両照明部１２０とグリル部８との間の位置に配置されるようになっていてもよい。このように構成した場合、グリル部８側で生じた熱が、フィラー部１１０を介して照明部１２０に伝達されることを伝熱抑制部材１８０によって抑えることができる。
【００４４】
また、図６のように、フィラー部１１０において、空気を通すための通気孔１１８が形成されていてもよい。通気孔１１８は、フィラー部１１０の第１の面と第２の面との間を連通するように構成することができ、図６の例では、各照明部１１２に近い位置に２つの通気孔１１８が形成され、いずれの通気孔１１８も、フィラー部１１０の上面部に一端側の開口部１１８Ａが設けられ、フィラー部１１０の後面部に他端側の開口部１１８Ｂが設けられている。そして、これら開口部１１８Ａ，１１８Ｂの間が空間として連通し、これらの間で空気が流れ得る構成となっている。図６の例では、左右方向において各照明部１２０が設けられた領域と孔内の空間とが重なるように各通気孔１１８が形成されている。
【００４５】
磁石１５０は、例えば永久磁石として構成され、フィラー部１１０（保持部材）の下面部に対して接着剤や接着シートなどの接着媒体、或いはねじ等の連結部材によって固定されている。図６の例では、例えば、長手状且つ板状に構成されたフィラー部１１０の厚さ方向一方面（下面）に対して板状に構成された複数の磁石１５０が固定されており、フィラー部１１０と磁石１５０とが一体化している。そして、図１、図２、図４のように、コンロ本体部１Ａの一部をなす平面状の部分（具体的には、図５で示す前面パネル２０の後方延出部２２）に対して磁石１５０の下面が接触し、後方延出部２２とフィラー部１１０（保持部材）とが磁石１５０によって吸着する形で取り付けられる。本構成では、後方延出部２２が前面パネル２０の上端部２０Ａの一部として構成されている。つまり、フィラー部１１０は、前面パネル２０の上端部２０Ａに磁石１５０を介して吸着される構成となっている。
【００４６】
照明部１２０は、フィラー部１１０（保持部材）に保持され、少なくともフィラー部１１０の下方側（具体的には前面パネル２０側）に照明光を照射する構成をなしている。照明部１２０は、ＬＥＤなどの公知の発光手段によって構成されており、例えば、フィラー部１１０の下面に固定される形でフィラー部１１０と一体化されている。図６の例では、複数の照明部１２０が、左右方向において互いに離間した位置関係で間隔をあけて配置され、それぞれがフィラー部１１０の下面における前端寄りの位置に固定されている。これら照明部１２０は、フィラー部１１０に対して直接取り付けられていてもよく、他部材を介して間接的に取り付けられてもよい。
【００４７】
このように構成された照明装置１００は、図２、図４のように、フィラー部１１０（保持部材）が前面パネル２０の上端部２０Ａに支持される形で載置されるとともに、フィラー部１１０（保持部材）の下面部に設けられた磁石１５０と上端部２０Ａとが吸着する構成をなし、且つフィラー部１１０（保持部材）の下面部の一部が前面パネル２０の前面よりも前側に位置するように設置される。そして、図２、図７のように、フィラー部１１０（保持部材）の下面部において前面パネル２０の前面よりも前側に配置される部分に、照明部１２０が設けられる。照明部１２０は、このような位置から下方側に向けてある程度の広がりをもって照明光を照射するため、この照明光によって前面パネル２０付近が照らされることになる。
【００４８】
図６のように、照明装置１００は、少なくとも一部がフィラー部１１０の内部に配置される電池収納部１６０を有する。電池収納部１６０は、図６のように全部がフィラー部１１０内に埋め込まれていてもよく、一部がフィラー部１１０の外側に配置されていてもよい。電池収納部１６０に収納された電池１６８は、ガスコンロ１の電源となる電池１５とは異なる電池であり、照明部１２０は、電池収納部１６０に収納された電池１６８から供給される電力に基づいて光を照射する構成となっている。
【００４９】
図３、図６で示すように、照明装置１００は、外部からのオン操作及びオフ操作を受ける切替操作部１７０と、切替操作部１７０に対するオン操作に応じて照明部１２０をオン状態に切り替え、切替操作部１７０に対するオフ操作に応じて照明部１２０を切り替える制御部１４０とを有している。そして、これら切替操作部１７０及び制御部１４０が、フィラー部１１０に取り付けられている。切替操作部１７０は、ユーザによる所定動作を検知する検知部として機能するものであり、例えば、人の操作によってスイッチの状態を切り替えることが可能であり、オン操作されたときにオン状態が保持され、オフ操作されたときにオフ状態が保持されるスイッチなどを用いることができる。具体的には、ＤＩＰスイッチ、タクタイルスイッチ、ロッカースイッチ、トグルスイッチ、サムロータリスイッチなど、公知の様々なスイッチを使用することができる。制御部１４０は、切替部として機能し、検知部が所定動作を検知した場合に照明部１２０を照射状態に切り替え、所定の停止条件の成立に応じて照明部１２０を照射停止状態に切り替える。具体的には、例えば、切替操作部１７０に対してオン操作がなされ、切替操作部１７０がオン状態で維持されているときに、制御部１４０は、照明部１２０に照明光を照射する動作を行わせ、切替操作部１７０に対してオフ操作がなされ、切替操作部１７０がオフ状態で維持されているときには、制御部１４０は、照明部１２０の照明動作を停止させる。
【００５０】
次に、本構成の効果を例示する。
図１等で示す照明装置１００は、フィラー部１１０（保持部材）に保持される照明部１２０によって前面パネル２０側に照明光を照射することができるため、ユーザが前面パネル２０付近を操作する際の視認性を高めることができる。また、フィラー部１１０（保持部材）がキャビネット９０の上面部９２よりも下方側且つ前面パネル２０の上方側に配置され、このフィラー部１１０（保持部材）に保持される形で照明部１２０が設けられるため、美観を損ないにくく他部品の配置に比較的影響が少ない位置にフィラー部１１０（保持部材）及び照明部１２０を効率的に配置することができる。
【００５１】
照明装置１００は、ユーザによる所定動作を検知する検知部（例えば切替操作部１７０）と、検知部が所定動作を検知した場合に照明部１２０を照射状態に切り替え、所定の停止条件の成立に応じて照明部１２０を照射停止状態に切り替える切替部（例えば制御部１４０）とを有する。
【００５２】
この照明装置１００は、ユーザが所定操作を行った場合に、この操作を検知して照明部１２０を照射状態に切り替えることができるため、ユーザが所望の時期に照明部１２０を動作させ得る構成となる。
【００５３】
フィラー部１１０（保持部材）は、キャビネット９０の上面部９２において上面側開口部９２Ａの前側に位置する前側配置部９６と前面パネル２０との間の隙間を埋めるためのスペーサを兼ねる。
【００５４】
この照明装置１００は、フィラー部１１０（保持部材）が前側配置部９６と前面パネル２０との間の隙間を埋めるスペーサとして機能するため、この隙間の位置を利用して効率的に配置することができるとともに、隙間が存在することに起因する美観の低下やその他のデメリットを解消することもできる。
【００５５】
照明装置１００は、フィラー部１１０（保持部材）の少なくとも一部として又はフィラー部１１０の組み付けられる部材として磁石１５０が設けられる。そして、コンロ本体部１Ａとフィラー部１１０とが磁石１５０によって吸着される構成となっている。
【００５６】
この照明装置１００は、ガスコンロ１に対してフィラー部１１０（保持部材）を容易に着脱し得る構成となるため、作業者が照明装置１００に対する作業（メンテナンスなど）を行いやすくなる。また、磁石１５０による吸着を利用してフィラー部１１０を固定することができるため、ガスコンロ１側において螺子孔などの加工を削減又は省略することができる。
【００５７】
フィラー部１１０（保持部材）は、前面パネル２０の上端部又は上端部の後方に隣接する隣接部の少なくともいずれかに支持される形で載置される。そして、前面パネル２０の上端部又は隣接部の少なくともいずれかに対してフィラー部１１０の下面部に設けられた磁石１５０が吸着する構成となっている。
【００５８】
この照明装置１００は、前面パネル２０の上端部又はこれに隣接する部分に磁石１５０を吸着させて安定的に固定することができる。また、前面パネル２０の上端部又は隣接部に載置しつつ磁石１５０による吸着によってフィラー部１１０（保持部材）を固定しているため、フィラー部１１０の位置をずらす操作が可能となり、微妙な位置調整（例えば、照明部１２０の位置の調整）が行いやすくなる。
【００５９】
照明装置１００は、フィラー部１１０（保持部材）の一部が前面パネル２０の前面よりも前側に配置される。そして、照明部１２０は、フィラー部１１０において前面パネル２０の前面よりも前側に配置される部分に少なくとも一部が保持され、少なくとも一部が前面パネル２０の前面よりも前側に配置される。
【００６０】
この照明装置１００は、前面パネル２０の前面よりも前側に照明部１２０を配置し得る構成となり、前面パネル２０に照射する光の量をより大きくすることができる。
【００６１】
＜他の実施例＞
本発明は上記記述及び図面によって説明した実施例に限定されるものではなく、例えば次のような例も本発明の技術的範囲に含まれる。
【００６２】
実施例１では、保持部材としてフィラー部１１０を例示し、照明部１２０がフィラー部１１０に保持された構成を例示したが、この例に限定されない。実施例１の構成又は実施例１の構成を変更したいずれの例においても、保持部材は、キャビネットの上面部よりも下方側且つ前面パネルの上方側に配置される部材であり、且つ照明部を保持し得る部材であれば、例えばフィラー部ではなく、他の保持部材によって保持される構成であってもよい。この場合の保持部材の取付位置は、キャビネットであってもよく、ガスコンロであってもよい。
【００６３】
実施例１では、フィラー部１１０は、前面パネル２０の上端部２０Ａとキャビネット９０における前面側開口部９４Ａの上縁部９５とによって構成される隙間部９８内の空間を埋める状態で配置されていたが、正面視したときにフィラー部が視認できる位置であれば、前面パネルの上端部と前面側開口部の上縁部とによって構成される隙間部の後方側の空間を埋める状態でフィラー部が配置されていてもよい。この場合も、フィラー部に直接又は他部材を介して間接的に照明部が取り付けられていればよい。
【００６４】
実施例１では、保持部材に相当するフィラー部１１０が前面パネル２０の上端部２０Ａに支持される形で配置されていたが、この例に限定されない。例えば、前面パネルの上端部がそれほど後方側に延出しておらず、その上端部の後方に他の隣接部（例えば、筐体部２の一部のフレームなど）が隣接するように固定された構成の場合、例えば、上端部の後方に隣接する隣接部に支持される形で保持部材が載置されていてもよい。例えば、前面パネルの上端部の後方に隣接する隣接部に対して磁石によって吸着されるように保持部材及び照明装置が構成であってもよい。
【００６５】
実施例１では、コンロ本体部１Ａに磁石１５０が吸着する構成であったが、例えば、保持部材に固定された磁石がキャビネットに吸着する形で照明装置が取り付けられるようになっていてもよい。
【００６６】
磁石１５０は、フィラー部１１０（保持部材）に組み付けられる部材として構成されていたが、フィラー部（保持部材）の少なくとも一部として磁石が設けられていてもよい。
【００６７】
実施例１では、伝熱抑制部材１８０がフィラー部１１０の一部として構成されていたが、伝熱抑制部材がフィラー部に取り付けられる別部材として構成されていてもよい。
【００６８】
実施例１では、通気孔１１８を例示したが、フィラー部に形成される通気孔の位置や形状は様々に変更できる。
【００６９】
実施例１で示したフィラー部１１０に加え、フィラー部１１０に取り付けられる別部材として図６の二点鎖線で示すような放熱部材１９０を設けてもよい。放熱部材１９０は、フィラー部１１０よりも熱伝導率が大きい材料（放熱性の高い金属材料など）によって構成することができ、例えば、図６（Ａ）の二点鎖線で示すような位置に板状の放熱部材１９０をフィラー部１１０に密着させて取り付けてもよく、図６（Ｂ）の二点鎖線で示すような位置に放熱部材１９０を取り付けてもよい。
【００７０】
実施例１では、照明部１２０に電力を供給する電源としての電池１６８を、フィラー部１１０に配置した構成を例示したが、この例に限定されない。実施例１の構成又は実施例１の構成を変更したいずれの例においても、電池１６８及び電池収納部１６０は、様々な場所に配置することができる。例えば、キャビネットやサイドモールなどに着脱可能に取り付けるようにしてもよい。
【００７１】
実施例１では、照明部１２０に電力を供給する電源として、ガスコンロ１とは独立した電池１６８（乾電池など）を例示したが、この例に限定されない。実施例１の構成又は実施例１の構成を変更したいずれの例においても、例えば、照明部１２０がガスコンロからの電力によって動作するように構成されていてもよい。或いは、二次電池や太陽電池などを電源として照明部１２０が動作するようになっていてもよい。
【００７２】
上記照明装置１００は、操作部３０が後方側に退避した退避位置（図４の実線位置）と退避位置よりも前方側に移動した前方位置と（図４の二点鎖線の位置）に変位する構成となっており、照明部１２０は、前方位置にあるときの操作部３０よりも上方に位置するようになっているため、操作部３０が前方位置にあるときに当該操作部３０に対して照明光の少なくとも一部を照射するようになっていてもよい。例えば、操作部３０が前方位置に移動する動作を所定動作として検知する検知部を設け、切替部に相当する制御部１４０は、操作部３０が前方位置に移動する動作を検知部が検知した場合に照明部１２０を照射状態に切り替えるように機能してもよい。この構成では、ユーザが操作部３０を前方位置に移動させた場合に、その移動動作を検知し、照明部１２０を照射状態に切り替えることができる。従って、ユーザは、操作部３０を前方位置に移動させるという簡易な操作を行えば、その操作部３０を、照明光が照射された視認性の高い状態とすることができる。このように構成する場合、操作部３０が後方位置に移動されたことを検知し得るように検知部を構成とし、制御部１４０は、操作部３０が後方位置に移動された場合に照明部１２０の動作を停止させるようにしてもよい。
【００７３】
上述したいずれの例においても、制御部１４０は、照明部１２０による照明光の照射開始から一定時間経過した場合に照明部１２０の動作（照明光照射動作）を停止させるように機能してもよい。
【００７４】
実施例１では、キャビネットの上面部よりも下方側且つ前面パネルの上方側に保持部材が配置される構成の一例として、図７のように、前面側開口部９４Ａの上縁部９５と前面パネル２０の上端部２０Ａとの間にフィラー部１１０が載置される構成を例示したが、この例に限定されない。実施例１の構成又は実施例１の構成を変更したいずれの例においても、例えば、図７に示す上縁部９５又は上縁部９５の後方側部分に対し、キャビネットに貼り付けられる形態等により保持部材が保持されていてもよい。また、上縁部９５の後方側の部分の下面が上縁部９５よりも上位置にあるような構成では、この位置に保持部材を貼り付けてもよい。この場合、保持部材は、一部が前面側開口部９４Ａよりも上位置に配置されていてもよい。
【符号の説明】
【００７５】
Ｓｙ…ガス調理システム
１…ガスコンロ
１Ａ…コンロ本体部
４，５，６…ガスバーナ
８…グリル部（熱源）
２０…前面パネル
３０…操作部
９０…キャビネット
９２…上面部
９２Ａ…上面側開口部
９４…前面部
９４Ａ…前面側開口部
９５…上縁部
９６…前側配置部
９８…隙間部
１００…ガスコンロ用の照明装置
１１０…フィラー部（保持部材）
１１８…通気孔
１２０…照明部
１４０…制御部（切替部）
１５０…磁石
１６０…電池収納部
１６８…電池
１７０…切替操作部（検知部）
１８０…伝熱抑制部材
１９０…放熱部材
【図１】
2018106897.tif 000003
【図２】
2018106897.tif 000004
【図３】
2018106897.tif 000005
【図４】
2018106897.tif 000006
【図５】
2018106897.tif 000007
【図６】
2018106897.tif 000008
【図７】
2018106897.tif 000009